(57)【特許請求の範囲】
【請求項１】
移動用車両（１２）に含まれ、移動用車両（１２）に電力を供給する燃料電池電力設備（２４）用の修正された停止作動の方法であって、車両（１２）は、ステーション（１０）において少なくとも電気エネルギー（２０Ａ）を含む１つまたは複数の資源（２０）の再供給を受けるためにステーション（１０）に時々向かい、燃料電池電力設備（２４）は、燃料電池電力設備のＨ2オン不動態化を含む停止手順の実行を含め、燃料電池電力設備の作動を調整する制御装置（３６）を備え、方法は、
ａ）ステーション（１０）において車両（１２）を少なくとも電気エネルギー資源（２０Ａ）に作動的に接続し、
ｂ）車両（１２）が電気エネルギー資源（２０Ａ）に接続されるのに応答して、延長された期間、燃料電池電力設備のＨ2オン不動態化を維持するのに十分な水素の流れを燃料電池電力設備内に維持することを含む電力オンモード（１２０、１２２）を備えるように停止手順の制御を修正する、
各ステップを含むことを特徴とする方法。
【請求項２】
車両の燃料電池電力設備は、電力設備の作動を実行および調整するための電気駆動装置（３６、６４、５８、６２、４８、５６、７１、その他）を備え、電力オンモードにおいて燃料電池電力設備内の水素の流れを維持するステップは、電気駆動装置のうちの少なくとも一部（３６、５８、４８、その他）を作動させることを含むことを特徴とする請求項１記載の方法。
【請求項３】
電力オンモードの際に燃料電池電力設備のＨ2オン不動態化が維持され得る延長された期間は、１６時間より長いことを特徴とする請求項２記載の方法。
【請求項４】
電力オンモードの際に燃料電池電力設備のＨ2オン不動態化が維持され得る延長された期間は、３０時間より長いことを特徴とする請求項３記載の方法。
【請求項５】
車両はさらに、搭載型水素反応物供給源（１６）を備え、ステーション（１０）における資源（２０）の１つは、水素（２０Ｂ）であり、方法は、車両（１２）をステーションにおける水素資源に作動的に接続し、電力オンモードの際に搭載型水素反応物供給源（１６）に再供給するように水素資源を制御する、各ステップを含むことを特徴とする請求項２記載の方法。
【請求項６】
燃料電池電力設備（２４）は、冷却材循環システム（３２）を備えており、ステーション（１０）における資源（２０）は、冷却材（２０Ｃ）も含み、方法は、車両（１２）をステーションにおける冷却材資源（２０Ｃ）に作動的に接続し、電力オンモードの際にステーション資源の冷却材から冷却材を循環させるように冷却材循環システム（３２）を制御する、各ステップを含むことを特徴とする請求項２記載の方法。
【請求項７】
延長された期間、燃料電池電力設備のＨ2オン不動態化を維持するのに十分な水素の流れを燃料電池電力設備内に維持するステップは、燃料電池電力設備内のある位置における水素の圧力を検出し、検出された圧力がある閾値より低いのに応答してその位置における水素の圧力を増大させる、ステップを含むことを特徴とする請求項１記載の方法。
【請求項８】
燃料電池電力設備（２４）は、アノード入口（５０）を有する電池スタックアッセンブリ（２６）を備え、アノード入口（５０）近くで圧力を検出し、閾値は約２ｋＰａであることを特徴とする請求項７記載の方法。
【請求項９】
燃料電池電力設備（２４）は、水素反応物供給源（１６）を備え、弁（４８）が水素反応物供給源（１６）とアノード入口（５０）との間の水素の流れを制御し、水素圧力を増大させるステップは、弁（４８）を調整することによることを特徴とする請求項８記載の方法。
【請求項１０】
車両はさらに、制限された電気エネルギーを車両に供給する制限された容量の搭載型電気エネルギー貯蔵システム（２５）を備えることを特徴とする請求項１記載の方法。
【請求項１１】
燃料電池電力設備（２４）は、電位を供給する電池スタックアッセンブリ（２６）と、電池スタックアッセンブリの電位を制御する電圧制限装置（３４）とを備えることを特徴とする請求項１記載の方法。
【発明の詳細な説明】
【技術分野】
【０００１】
本開示は一般に燃料電池電力システムに関し、より詳細には輸送用車両などの移動用途に適合した燃料電池電力設備に関する。さらにより詳細には本開示は、耐久性、経済性および／または同様のものなどを向上させるための、通常作動モード以外のモードへのおよび／またはモードにおける、このような燃料電池電力システムおよびその１つまたは複数の燃料電池電力設備の作動に関する。
【背景技術】
【０００２】
移動／輸送用途の燃料電池電力設備は、自動車や、バスなどの大型の運搬車においてますます使用されている。これらの電力設備では一般に、モータに電力供給して直接車両を推進するように、また、バッテリまたは一揃いのバッテリなどのエネルギー貯蔵システムでの貯蔵用にエネルギーを供給するように、電力を生成するために、１つまたは複数のスタックまたはスタックアッセンブリ（ＣＳＡ）内に配置された多数のＰＥＭ型燃料電池が使用される。
【０００３】
ＰＥＭ型燃料電池では、膜型電解質が使用されており、この膜型電解質の膜は、プロトン交換膜または高分子電解質膜（ｐｏｌｙｍｅｒ  ｅｌｅｃｔｒｏｌｙｔｅ  ｍｅｍｂｒａｎｅ）（ＰＥＭ）である。この膜は、アノード電極とカソード電極の間にそれぞれ配置される。触媒化されたカソードおよびアノードは、所望の電気化学反応を誘起するのに役立つ。必要な電気化学反応を達成するように、膜の対向するそれぞれの面に亘るカソード流れ場およびアノード流れ場それぞれを通して、反応物すなわち一般に酸素または空気などの酸化剤および水素などの燃料を流す。
【０００４】
燃料電池スタックの作動に関連する始動機構および停止機構がスタックの耐久性および寿命に重大で一般には不利な影響を及ぼすことが知られている。燃料電池スタックの劣化は、触媒支持材料の酸化や、高い温度、および高い（電気的）電位に起因する。この影響は、定置用途での一般に長期間の作動に比較して始動および停止の回数／頻度が多いため、輸送目的の燃料電池電力設備の用途でより顕著であり、バスなどの大型の輸送用車両におけるそのような電力設備に関して特に影響がある。
【０００５】
始動／停止サイクルに関連する劣化機構を緩和するのを助ける多くのさまざまな技術が提案または使用されており、好ましい方法は、時に「水素オン」（または「Ｈ2オン」）方法と呼ばれる、水素安定化の方法である。「水素オン」方法では、燃料電池スタック（電池内の酸化剤流れ場、入口マニホールド、出口マニホールド、配管、その他を含む）の空気側体積から酸素を除去し、カソード流れ場およびアノード流れ場両方で水素レベルを安定させ、それによって、電池内で少なくとも高電圧を防止しまたは最小限に抑える。通常の水素安定化は、停止手順で達成され、この停止手順には、（ａ）スタックへの新鮮な空気の入力を阻止し、（ｂ）サービス負荷を除去し、スタックを抵抗補助負荷に接続し、（ｃ）燃料再循環を継続したまま、燃料パージ（排気）を阻止したまま、新鮮な水素を電池に供給するのを継続し、これを、空気側体積内の全ての残留酸素と反応するのに十分な水素を供給するまで継続しながら、オンのままのカソード送風機の入口にカソード排気を導くことで、カソード再循環を実行し、（ｄ）停止が完了するまでカソードおよび燃料再循環（循環）の実行を継続しながら燃料電池への新鮮な水素の入口を封鎖することが含まれる。このようなシステムの代表例の１つが、本願の出願人に譲渡され、２０１２年３月２７日に発行され、ライザー（Ｒｅｉｓｅｒ）らに付与された米国特許第８，１４２，９５０号に開示されている。同様の別の代表例の１つが、本発明の出願人に譲渡され、２０１１年９月１５日に発行された、Ｍ．Ｌ．ペリー（Ｐｅｒｒｙ）による米国特許出願公開第２０１１／０２２３４９５Ａ１号に開示されている。
【０００６】
水素オン安定化方法は停止過程で使用され、スタックへの空気供給を比較的迅速に終了させ得るが、限られた期間、スタックへの水素の供給および／または再循環への依拠を継続し得ることに留意されるであろう。水素オン状態の不動態化（ｐａｓｓｉｖａｔｉｏｎ）の利益は、実際の停止状態の間の多少の期間、継続し得るとはいえ、この期間は一般に、数時間、例えば１６時間より短い時間に限られる。繰り返し再始動し、短時間作動し、再び停止し、Ｈ2オン不動態化の利益の継続時間を延長する目的で燃料電池電力設備をＨ2不動態化させることは、計算上および耐久性の観点から実際的でないと見なされてきた。水素オン状態の継続時間に対するこのような制限は、それに対応して、特に電力設備が通常停止される延長された期間、このような作動モードに由来する利益を制限する。
【発明の概要】
【課題を解決するための手段】
【０００７】
さまざまな輸送用車両は、さまざまな種類の保管および／または保守のためステーション、駐車場、「物置」、またはターミナルへと本当に向かうこともあるし、または、時々向かう必要もある。そのようなステーションにいる間に、車両は、水素燃料などのさまざまな資源の再充填を受けることができ、その燃料電池電力設備はこれまでは一般に、数時間から数日間に延長し得る期間、停止状態にあった。しかしながら、本明細書では、少なくとも電力を含む、ステーションの比較的制限のない資源のうちの１つまたは複数を利用することで、かつ、いわゆる電力オン（Ｐｏｗｅｒ  Ｏｎ）モードを含むように通常の停止過程を修正することで、大幅に延長された期間、保護水素オン（Ｈｙｄｒｏｇｅｎ  Ｏｎ）状態を活動状態のまま存続させ得ることが認められた。
【０００８】
移動用車両に含まれ、移動用車両に電力を供給する燃料電池電力設備の、または燃料電池電力設備用の、修正された停止の方法または技術が開示される。車両は特徴的には、燃料電池電力設備によって利用される１つまたは複数の資源を再供給するために、その資源を備えるステーションに時々向かう。このステーションにおいて／によって供給されるそのような資源の１つは電気エネルギーであり、燃料電池電力設備の作動は、いわゆる電力オン作動モードを介して、例えば数日間のまたはより長い期間の大幅に延長された期間、活動状態の保護水素オン状態を維持するようその電気エネルギーの利用可能性を利用するように修正される。
【０００９】
電力オンモードは、燃料電池電力設備にまたは燃料電池電力設備内で、直接におよび／または再循環によって、水素の不動態化流れを維持し、他の点では従来の停止手順の修正を介して通常は入る。従来の停止手順の初期の態様は、大部分のＨ2不動態化が達成されるであろうこの手順におけるある予め選択された局面または状態において、保持される、または保持され得るとはいえ、手順は、少なくとも外部電力の存在に応答して修正され得る。手順は、直接におよび／または再循環によって、水素の流れを維持するように修正され、それによって、１６時間より長い期間、または３０時間より長い期間まで、または実に何日間もの期間まで、水素不動態化の継続時間を維持または延長する。水素の流れの調整は、例えば、燃料電池電力設備の燃料電池への水素の入口においてまたは入口近くにおいて、検出された水素の圧力に応答し、検出された水素の圧力がある閾値、例えば２ｋＰａまで低下した場合、水素を供給することを含むことができる。
【００１０】
電力オン作動モードの提供は、そうでなければ制限されるＨ2オン不動態化の継続時間を延長するためのステーションにおける電力の利用可能性に初期には依存するとはいえ、ステーションから補助的なＨ2および／または補助的な冷却材および／または冷却能力などの他の資源を車両および／または燃料電池電力設備に供給することで、電力オンモードの間に付加的な利益を引き出すこともできる。
【００１１】
本開示の上述した特徴および利点は、添付の図面に例示される本開示の例示的な実施例の以下の詳細な説明に照らしてより明らかとなるであろう。
【００１２】
本開示の多くの態様は、以下の図面を参照してより良く理解できる。図面の中の構成要素は、必ずしも共通の尺度を持っていない。さらに図面において、同様の参照符号は、いくつかの図面を通して対応する部分を示す。
【図面の簡単な説明】
【００１３】
【図１】燃料電池電力設備を有する１つまたは複数の車両が、本開示に従って外部資源に接続される、または接続され得る、ステーションまたはターミナルの一部を示す簡略図。
【図２】ブロック形態で燃料電池電力設備のさまざまな概略構成要素を示す、図１の車両の概略図。
【図３】いくつかの構成要素とそれらの相互接続をより詳細に示す、図２の燃料電池電力設備の関連部分の概略図。
【図４Ａ】電力オンイネーブル状態の決定前の水素オン停止過程の初期の部分の概略機能流れ図。
【図４Ｂ】図４Ａにおいて開始された概略機能流れ図の継続であって、代替として、停止過程の完了または電力オン過程への進入およびその維持を示す図。
【図５】電力オンイネーブル状態の決定の簡略機能図。
【発明を実施するための形態】
【００１４】
本開示の多くの態様は、以下の図面を参照してより良く理解できる。図面の中の構成要素は、必ずしも共通の尺度を持っていない。さらに図面において、同様の参照符号は、いくつかの図面を通して対応する部分を示す。
【００１５】
図１を参照すると、ターミナル、物置、駐車場、その他ともさまざまに呼ばれるステーション１０の一部が示されており、そこには、１つまたは複数の燃料電池駆動車両１２が、定期的な保管、保守、および／または必要な資源の補給のために、一時的に配置され得る。車両１２は、特徴的には、燃料電池電力システム（ｆｕｅｌ  ｃｅｌｌ  ｐｏｗｅｒ  ｓｙｓｔｅｍ）（ＦＣＰＳ）１４と、制限された搭載型水素供給源１６と、モータ駆動装置１８と、さまざまな車両補助負荷１９と、を備える。車両１２は、限定される訳ではないが、自動車、トラック、およびバスを含む、任意のさまざまな種類の燃料電池駆動車両とすることができるとはいえ、本開示は、夜の間、週末、またはより長い間の保管または収容のために日常的にステーション１０に向かい、ターミナル１０において１つまたは複数の「外部」資源２０の補給を受け得るバスなどの車両に特に向けられる。これらの資源２０は、少なくとも電力２０Ａを含み、任意選択的に、水素２０Ｂ、冷却材および冷却材処理２０Ｃ、および／または他の資源も含み得る。このような資源２０は、それぞれの車両１２上に収容されているそれらの制限された量に対して通常制限のない量で、ステーション１０において都合よく利用可能でありまたは利用可能であり得る。図１の図示の目的のために、資源２０のそれぞれおよび全ては、実際は、運ばれる物質、実体、特性、および機能用のさまざまな独立した導管となるであろう、一まとめの導管２２を介して、それぞれの車両１２に接続されるものとして示される。別々に示されていないが、電力の伝達のために、適切な電気ケーブル／コネクター／接触器、その他などがあることは理解されるであろう。同じことが、水素および／または冷却材および冷却材の処理の任意選択的供給についてあてはまるであろう。また重要なことには、一まとまりの導管２２は、資源２０に関する車両１２とステーション１０の間の信号情報の伝達を包含するものと想定される。
【００１６】
図２を参照すると、車両１２、および特に燃料電池電力システム１４がいくぶんより詳細に示される。ＦＣＰＳ１４は重要なことには、燃料電池電力設備（ｆｕｅｌ  ｃｅｌｌ  ｐｏｗｅｒ  ｐｌａｎｔ）（ＦＣＰＰ）２４を備える。それは、電気エネルギー貯蔵システム（ｅｌｅｃｔｒｉｃａｌ  ｅｎｅｒｇｙ  ｓｔｏｒａｇｅ  ｓｙｓｔｅｍ）（ＥＳＳ）２５を備えることもできる。ＦＣＰＰ２４は、既知の仕方で電気エネルギーを電気化学的に供給することができる。ＥＳＳ２５は、再充電可能バッテリ、またはバッテリシステムとすることができる。ＦＣＰＰ２４およびＥＳＳ２５のうちの一方または両方が、車両１２を推進するように車両モータ駆動装置に電気エネルギーを供給することができる。ＥＳＳ２５は、車両の発電制動によっておよび／またはＦＣＰＰ２４の作動によって、さまざまな程度に都合よく再充電可能である。さらに、ＥＳＳ２５は図２では、ＦＣＰＰ２４に電気エネルギーを供給もするように接続されるものとして示される。この能力は、ＦＣＰＰ２４が通常、電気エネルギーを供給していない場合の停止などの時や、再始動の目的の際でさえも、ＦＣＰＰ２４の一部を構成するさまざまな電気駆動装置の制限された継続時間の、ある制限された作動を可能とする。
【００１７】
ＦＣＰＰ２４をより詳細に考慮すると、それは概略、燃料電池スタックアッセンブリ
（ｃｅｌｌ  ｓｔａｃｋ  ａｓｓｅｍｂｌｙ）（ＣＳＡ）２６と、搭載型供給源１６から供給されるとともに、ＣＳＡ２６へと供給されかつ／またはＣＳＡ２６からおよび／またはＣＳＡ２６へと再循環される水素燃料を処理する燃料処理システム（ｆｕｅｌ  ｐｒｏｃｅｓｓｉｎｇ  ｓｙｓｔｅｍ）（ＦＰＳ）２８と、ＣＳＡ２６へと供給されかつ／またはＣＳＡ２６からおよび／またはＣＳＡ２６へと再循環される、３０で示される供給源からの空気などの酸化剤を受け取る空気処理システム（ａｉｒ  ｐｒｏｃｅｓｓｉｎｇ  ｓｙｓｔｅｍ）（ＡＰＳ）２９と、ＣＳＡ２６の熱要求を管理する熱管理システム（ｔｈｅｒｍａｌ  ｍａｎａｇｅｍｅｎｔ  ｓｙｓｔｅｍ）（ＴＭＳ）３２と、ＣＳＡ２６の出力電圧を調整および／または制限する電圧制限装置（ｖｏｌｔａｇｅ  ｌｉｍｉｔｉｎｇ  ｄｅｖｉｃｅ）（ＶＬＤ）３４と、少なくともＦＣＰＰ２４の多数の処理および機能、および通常はＥＳＳ２５、車両補助負荷１９、およびステーション資源と車両１２、特にＦＣＰＰ２４との間のインターフェースの多数の処理および機能を調整する制御装置３６と、を備える。
【００１８】
ここで図３を参照すると、図３は、ＦＣＰＰ２４の関連構成要素をより詳細に示す。燃料電池スタックアッセンブリ２６は、複数の燃料電池、ここでは一まとめにして単一の電池として示されたものを備えており、各電池は、カソード３８と、アノード４０とを備えており、電解質４２がそれらの間にある。図示の実施例では、電解質は、プロトン交換膜（ｐｒｏｔｏｎ  ｅｘｃｈａｎｇｅ  ｍｅｍｂｒａｎｅ）（ＰＥＭ）である。例示的な実施例では、反応物気体流れ場（よく知られており、図示せず）がバイポーラプレート内に配置されており、そのうちの少なくとも１つが、反応物気体流れ場チャネルを有する面とは反対のプレートの面に冷却材流路４４を有する。これらのバイポーラプレートは、中実とすることも、ミクロ孔親水性水輸送プレートとすることもでき、両方ともよく知られている。冷却器プレートがバイポーラプレートの間にところどころに入れられることも、置かれることもできる。
【００１９】
燃料は、搭載型水素供給源１６から、圧力制御弁４６、燃料流量制御弁４８を通して、アノードの入口５０へと供給される。流れ場の出口５２は、水素枯渇排気を導管５４を通して伝達し、導管５４は、遠隔制御可能アノード排気弁５６に繋がり、遠隔制御可能アノード排気弁５６は次いで混合箱７３に作動的に接続される。アノード排気弁５６は、不純物および窒素などの不活性物を排除するのに必要なだけ、および／または、可能な再循環用の排気空気と混合するために、絶えずわずかに開とするか、パルス幅変調に基づいて周期的に作動することができる。導管５７も導管５４に接続されており、アノード排気をアノード再循環ポンプ５８に接続し、アノード再循環ポンプ５８はエゼクタとすることができ、その出力は、導管５９にあり、アノード燃料再循環用にアノードの入口５０と接続される。アノード再循環ポンプは電気化学水素ポンプとすることもでき、電気化学水素ポンプは、既知の仕方で燃料電池に直流を流すことに依拠しており、出口水素の再循環および精製の両方を行う。
【００２０】
空気は、導管６０内から空気入口弁６２を通して、送風機６４へと供給され、送風機６４は、空気を空気制御弁６５を通して、カソード３８の入口６６に供給する。カソード出口６７は、導管６８、排気弁６９を通して、排気へと接続され、混合箱７３を備えており、そこで、排気プロセス空気は、大気へと排出する前に可燃性を低下させるように、またカソード３８への可能な再循環のために、排気燃料と混合される。排気弁６９は、カソード再循環流れを促進するための部分的閉状態および完全閉状態を含め、カソード３８ばかりでなくアノード４０の排気流れを可変制御するように遠隔作動可能である。
【００２１】
停止においてアノードおよびカソード内の水素安定化を実行するために、この実施例では、遠隔作動可能フィードバック弁７１および導管７２を通して空気送風機６４の入口に接続される導管７０によって、カソード再循環が提供される。なおさらに、アノード４０の流れ経路とカソード３８の流れ経路との間で連通する水素伝達手段が、停止時にこれらの流れ場の間で水素燃料の伝達を選択的に可能とする。この実施例では、水素伝達手段は、カソード３８から排気される空気と混合するために導管５４、アノード排気弁５６を介して混合箱７３に接続され、次いで導管７０、７２を介して再循環されるアノード４０からの水素含有排気を備える。代替としてまたは付加的に、他の水素伝達手段は、ここでは破線の形態で図示され、アノード入口５０と、カソード入口６６へと繋がる空気送風機６４への入口などにおけるカソード再循環経路の低圧点との間で流体連通するように固定された水素伝達弁７４を備えることができる。このような水素伝達のための他の代替の手段は、電気化学水素ポンプの形態を取ることができ、電気化学水素ポンプは、既知の仕方で燃料電池に直流を流すことに依拠するか、または、単に、ＰＥＭ電解質４２を横断する比較的遅い水素の拡散に単に依拠することによる。
【００２２】
熱管理システム３２は、概略形態でのみ図示されているが、電池スタックアッセンブリ２６から排出される水分または液体冷却材を凝縮させまたはそうでなければ冷却し、いくらかの部分を冷却材通路４４に選択的に戻すためのいくつかのよく知られた形態のいずれかを取ることができることは理解されるであろう。電池スタックアッセンブリ２６が、循環冷却材への顕熱の伝導および対流によって冷却される場合、熱管理システムは、ファン冷却熱交換器および液体循環ポンプ、それにアキュムレータを備えるであろう。電池スタックアッセンブリ２６が、蒸発冷却を用いる場合、カソード排気は、凝縮器によって凝縮され、結果として得られる液体は、スタック内での選択的使用のためにアキュムレータ内に貯蔵できる。
【００２３】
圧力変換器７６が、以下により詳細に説明する電力オンルーチンまたは手順の態様として、水素流れ経路内の水素の圧力を検出しかつ表示するために、水素流れ経路と作動的に接続される。水素圧力変換器７６は、実質的にアノード入口５０においてまたはアノード入口５０近くにおいて、水素入口流れに都合よく接続され、以下に説明する圧力を包含するのに十分な圧力測定範囲を有する。
【００２４】
ＶＬＤ３４で示される図２、図３の部分を簡単に参照すると、図３には、外部回路７８が示されており、外部回路７８は、主スイッチ８２が閉にされ（ここでは開で図示される）、ＣＳＡが通常作動にある場合に、８０で示される主負荷に供給するために、ＣＳＡ２６によって生成される電流を受け取る。８０で示されるこの主負荷は通常、少なくとも車両モータ駆動装置１８を含むであろうし、付加的に、車両補助負荷１９の全てまたは一部を含むことができるが、ＦＣＰＰ自体を作動させるのに必要とされるさまざまな負荷を、含むことができるとしても、通常は含まないであろう。ＶＬＤ３４は付加的に、ここでは可変または遠隔調整可能抵抗であるとして図示される補助負荷８４を備えており、補助負荷８４は、ＣＳＡ２６の通常作動時は電流を受け取らず、補助負荷スイッチ８５は開である。補助負荷８４は、既知のようにかつ以下に説明するように、停止手順時にＣＳＡ２６の出力電圧を低下させおよび／または制限するのを意図している。電池出力電圧が予め選択された値より低下した場合に、補助負荷８４を通る電流の流れを停止させるように、補助負荷８４と直列にダイオード８６が接続可能である。電圧計８７または同様の電圧検出装置が、制御または調整の目的で電圧の示度を提供するように、ＣＳＡ２６の電気出力端子間に亘って接続される。電圧制限機能が、例えば、本発明の出願人に譲渡された、Ｓ．Ｊ．フレデット（Ｆｒｅｄｅｔｔｅ）による米国特許第７，７９０，３０３号に開示されているように、代替としてまたは付加的に、ＥＳＳ２５によって提供される。
【００２５】
別々の接続は図示されていないとはいえ、ＦＣＰＰ２４の制御装置３６は、その制御下にあり、以下の作動の説明の一部を構成するさまざまな要素と作動的に接続されるものと理解される。制御装置３６は、以下に説明する機能を実行することができるさまざまなよく知られた形態のいずれかを取ることができ、実施例は、弁、接続、その他などの一部または全ての簡単な手動作動から、配線および／または遠隔無線接続を介するプログラムされた電子デジタルプロセッサ制御にまで及ぶ。１つまたは複数の資源２０との実際の接続性を検出する能力は、図示されていないとはいえ、既知でありかつ理解されているものとして想定されており、物理的接触や、電流、水素、および／または冷却材の流れの検出、その他に関連するセンサを含むことができる。
【００２６】
初期の停止過程、および完全停止状態に到達する前のその過程から、延長された期間、活動状態の水素オン状態を維持する電力オンの分岐過程への分岐を含め、電力オンモードにおける作動過程の理解のために、ここで注意をさらに図４Ａ、図４Ｂ、図５に向ける。これらの図は、その過程のより高度のレベルを機能的に図示し、付随する説明は、図１〜図３のハードウェアと図４Ａ、図４Ｂ、図５の１つまたは複数の流れ図との相互関係を示す。
【００２７】
ＦＣＰＰ２４の通常作動時、主スイッチ８２を閉にし、電気を少なくとも主負荷８０に供給し、主負荷８０は、車両駆動モータ１８を含み得る。酸化剤送風機３０およびアノード再循環ポンプ５８をオンにする。水素入口弁４８およびアノード排気弁５６と同様に、空気入口弁６２およびカソード排気弁６９を開にする。通常、空気は、カソード場を通って流れ、排気され、水素は、アノード場を通って流れ、一部がアノード排気弁５６、混合箱７３、およびカソード排気弁６９を介して排気され、一部がアノード場へと再循環（循環）される。
【００２８】
ＦＣＰＰ２４の停止は通常、車両１２が静止している時、本例ではステーション１０に配置され得る時に生じる。ＦＣＰＰ２４が完全に停止しているか、または代替として電力オンモードに入っているかは、車両１２がステーション１０の１つまたは複数の資源２０に作動的に接続されているか、いないかによって決定される。
【００２９】
図４Ａのステップ１００は、停止過程の開始を示し、スイッチまたは点火信号「オフ」によって、または他の方法（図示せず）によって達成される。これには次いでステップ１０２において、主負荷８０の解除、および電圧制限装置３４のイネーブルが続く。より詳細には、ステップ１０２は、スイッチ８２の開、および補助負荷８４を接続するスイッチ８５の閉を含み、補助負荷８４は次いで可変負荷装置とすることができる。
【００３０】
次に、ステップ１０４において、空気入口弁６２およびカソード排気弁６９を閉にし、ある予め選択された期間、例えば、３〜３００秒間の範囲で、最大速度で空気送風機６４を作動させ、電圧計８７などを介してＣＳＡ２６の電圧出力を監視することで、カソード酸素を枯渇させ、電圧が例えば約０．１〜０．７ボルトの間の予め選択されたレベルに十分に低下した場合、ステップ１０６に進む。
【００３１】
ステップ１０６において、空気送風機６４の最大速度の２０％〜７０％の範囲のある点に空気送風機６４の速度を低減し、空気入口弁６２およびカソード排気弁６９を閉状態に維持することで、ＣＳＡ２６内に水素を蓄積する。この態様の間、水素は、アノード４０からカソード３８に移動しおよび／または輸送されることになり、カソード３８において酸素と反応し、それによって、酸素をさらに枯渇させるのに役立つ。水素の直接輸送は、例示の実施例では、少なくとも部分的には、混合箱７３においてカソード排気空気と混合されたアノード排気水素のカソード３８への再循環から生じ、これは、アノード排気弁５６が少なくとも部分的に開のままであることを想定している。
【００３２】
ステップ１０６について説明した過程の付属または延長として、次のステップ１０８は恐らく、ステップ１０６に関して示された範囲内でさらにより低く空気送風機の速度を低減し、空気入口弁６２およびカソード排気弁６９を閉状態に維持し、電流引き込みを増大するようにＶＬＤ３４の補助負荷８４の抵抗をより低い値に変化させ／変更することで、カソード酸素濃度をなおさらに低減するように実行される。ステップ１０６でのように、水素は、アノード４０からカソード３８に移動しおよび／または輸送されることが継続することになり、カソード３８において酸素と反応し、それによって、酸素をさらに枯渇させるのに役立つ。次いで、停止手順のステップ１０８に入ったすぐ（例えば、０．１ｓ〜１０ｓ）後に、プログラムシーケンスは、電力オンモードに入る必要があるか、否かを問い合わせる。これは、判断ステップ１００において、Ｐｏｗｅｒ＿Ｏｎ信号チェックを実行することで行われる。
【００３３】
一時的に図５を参照すると、ステップ１１２において、電力オンフラグを「１」（Ｔｒｕｅ）状態にまたは「０」（Ｆａｌｓｅ）状態に設定する記号的な電力オンスイッチ１１１、ここでは閉状態で示されているもの、の機能表示が示される。Ｔｒｕｅ状態は、電力オンモードがイネーブルにされること、またはイネーブルにされる必要があることを反映し、作業者によって手動で、および／またはステーション１０における少なくとも電力２０ＡへのＦＣＰＰ２４の実際の作動的接続の際に自動的に、スイッチ１１１の閉によって象徴的に達成され得る。水素２０Ｂおよび／または冷却材資源２０Ｃなど、他の外部資源２０が電力のほかに利用される必要のあるかぎり、それらの各接続を示す適切な信号も、電力オンのイネーブルまたはＴｒｕｅ状態を確立するのに使用されまたは必要とされ得る。
【００３４】
流れ図に戻ると、ここで図４Ｂにおいて、判断ステップ１１０の電力オン信号チェックが、図５のステップ１１２においてどちらのフラグが設定されたかに応じて、ＴｒｕｅまたはＦａｌｓｅの応答選択肢を提示することに留意されるであろう。典型的には車両１２およびそのＦＣＰＰ２４が電力資源２０Ａに実際には接続されていないため、ブロック１１４において、電力オンモードフラグが「０」に設定され、Ｆａｌｓｅを示している場合、ステップ１１６において、燃料および空気の供給を停止することで、停止ルーチンを継続する。これは、空気送風機６４を停止し、水素入口弁４８、空気入口弁６２、空気再循環弁７１、およびカソード排気弁６９を閉にすること、または閉を維持することで行われる。これらのステップの完了後、燃料電池電力設備２４、そして特にＣＳＡ２４は、機能ブロック１１８において反映されるように、停止と見なされることになる。
【００３５】
しかしながら、典型的には車両１２およびそのＦＣＰＰ２４が電力資源２０Ａに実際には接続されているため、ブロック１２０において、電力オンモードフラグが「１」に設定され、Ｔｒｕｅを示している場合、空気および水素燃料の再循環が継続される機能ステップ１２２において反映されるように、電力オンモードに入る。電力オンモードをより詳細に見ると、水素などの他の資源の利用可能性に対する制限のみによって制限される、多くの時間、例えば１６または３０時間、または数日、または数週間からなる、延長された、無限の可能性のある期間、さまざまなポンプ、送風機、弁アクチュエータ、その他のための適切な電力を確保するように、ここで電力がステーション１０の主電力バス資源２０ＡからＦＣＰＰ２４に供給される。この電力オンモードにおいて、空気送風機のスピードは、アノード排気弁５６が部分的に開のままを継続する間にアノード排気と混合されるカソード排気の再循環を継続しながら、先の最大から典型的には最大速度の３０％未満まで低減される。圧力センサ４６は、アノード入口５０の圧力を監視し、制御装置３６の作動を介して、圧力を、ある最小閾値、例えば２ｋＰａより上で、クロスオーバ感度およびシーリング特性を含むスタックおよびセルの材料の特性によって決定されるような、約１０ｋＰａより下に維持する仕方で、水素入口弁４８を作動させるのに役立つ。同様に、アノード４０からアノード入口５０へと戻る水素排気の再循環は、再循環ポンプまたはエゼクタ５８を介して継続される。
【００３６】
留意されるように、電力オンモードは、長期間継続され得るが、さまざまな理由で、それを終了させるのが望ましくまたは必要となり得る。主要な実施例の１つは、通常の作動のためＦＣＰＰ２４を再始動する必要であり、別の実施例は、供給される外部資源の利用可能性または接続の中止である。従って、電力オンモードを定義しかつ制御するプログラムルーチンは、電力オン状態をイネーブルのままにする必要があること、または本当にイネーブルのままにすることをチェックするように、電力オン判断ブロック１１０に周期的に戻る用意を備える。いつでも、電力オン状態のチェックがＦａｌｓｅすなわち「０」状態を表す場合、機能ブロック１２２のプログラムルーチンは、停止作動を完了するように、ステップ１１６に関して図示および説明される停止ルーチンに、破線１２５で示されるようにすぐに切り換わる。
【００３７】
本開示の例示的な実施例に関して本開示を説明および図示したとはいえ、本開示の精神および範囲から逸脱せずに、上述のさまざまな他の変更、削除、および付加を行い得ることは当業者には理解されるはずである。
【図１】
0006013624.tif 000002
【図２】
0006013624.tif 000003
【図３】
0006013624.tif 000004
【図４Ａ】
0006013624.tif 000005
【図４Ｂ】
0006013624.tif 000006
【図５】
0006013624.tif 000007